(57)【要約】【課題】構造が簡単で、椅子への組み付けを簡易に行うことができ、また、背もたれの後傾動に対するばねの付勢力の大きさの調節を正確にでき、かつ、ロッキング機構の駆動を円滑に行えるようにした椅子のロッキング構造を提供すること。【解決手段】背もたれ４の後傾動に対して抵抗力を付与するばね６０と、このばね６０の抵抗力をばねアーム５５を介して背もたれ４に伝達するロッキングアーム５２と、回動操作されることによってばねアーム５５のロッキングアーム５２に対する当接位置を移動させて背もたれ４の後傾動に対するばね６０の抵抗力の度合いを変える強弱調整コマ５４とを、椅子本体２に設置されるケース５０内に一体に備える。【選択図】図４
2018078961.tif 000002
【特許請求の範囲】
【請求項１】
椅子本体から延設した背もたれ支持体に対して背もたれを取り付けるようにした椅子のロッキング構造において、前記背もたれの後傾動に対して抵抗力を付与するばねと、該ばねの抵抗力をばねアームを介して背もたれに伝達するロッキングアームと、回動操作されることによってばねアームのロッキングアームに対する当接位置を移動させて背もたれの後傾動に対するばねの抵抗力の度合いを変える強弱調整コマとを、椅子本体に設置されるケース内に一体に備えてなることを特徴とする椅子のロッキング構造。
【請求項２】
前記強弱調整コマが、周面カムであって、外周面に軸心からの距離が異なる複数のカム面が形成され、該カム面が、ばねアームに当接するようにしてなることを特徴とする請求項１に記載の椅子のロッキング構造。
【請求項３】
前記背もたれの後傾動の角度が進行した場合に、ばねアームの先端側を案内するガイド溝を、強弱調整コマに対応して複数段形成してなることを特徴とする請求項１又は２に記載の椅子のロッキング構造。
【請求項４】
前記ばねアームのロッキングアームに対する当接面の断面形状を、略直線状に形成するとともに、該当接面に対応するロッキングアームの当接面の断面形状を、緩やかな曲線状に形成してなることを特徴とする請求項１、２又は３に記載の椅子のロッキング構造。
【発明の詳細な説明】
【技術分野】
【０００１】
本発明は、事務用に好適に用いられる椅子に関し、特に、その背もたれがばねの付勢力に抗して後傾動するようにした椅子のロッキング構造に関し、より詳しくは、背もたれの後傾動に対するばねの付勢力の大きさを調節できるようにした椅子のロッキング構造に関するものである。
【背景技術】
【０００２】
従来、背もたれがばねの付勢力に抗して後傾動するようにしたロッキング構造を備えた椅子が汎用されており、背もたれの後傾動に対するばねの付勢力の大きさを調節できるようにした椅子も提案されている（例えば、特許文献１〜４参照。）。
【０００３】
ところで、従来の椅子のロッキング構造、特に、背もたれの後傾動に対するばねの付勢力の大きさを調節できるようにした椅子のロッキング構造は、構造が複雑で、椅子への組み付けに手数を要するという問題があった。
【０００４】
また、背もたれの後傾動に対するばねの付勢力の大きさの調節が正確にできなかったり、ロッキング機構の駆動を円滑に行えない等の問題があった。
【先行技術文献】
【特許文献】
【０００５】
【特許文献１】特開平６−１６９８２９号公報
【特許文献２】特開平１０−１７９３１２号公報
【特許文献３】特開平１１−１６９２５４号公報
【特許文献４】特開２０１３−２２０７８号公報
【発明の概要】
【発明が解決しようとする課題】
【０００６】
本願発明は、上記従来の椅子のロッキング構造における問題点に鑑み、構造が簡単で、椅子への組み付けを簡易に行うことができ、また、背もたれの後傾動に対するばねの付勢力の大きさの調節を正確にでき、かつ、ロッキング機構の駆動を円滑に行えるようにした椅子のロッキング構造を提供することを目的とする。
【課題を解決するための手段】
【０００７】
上記目的を達成するため、本発明の椅子のロッキング構造は、椅子本体から延設した背もたれ支持体に対して背もたれを取り付けるようにした椅子のロッキング構造において、前記背もたれの後傾動に対して抵抗力を付与するばねと、該ばねの抵抗力をばねアームを介して背もたれに伝達するロッキングアームと、回動操作されることによってばねアームのロッキングアームに対する当接位置を移動させて背もたれの後傾動に対するばねの抵抗力の度合いを変える強弱調整コマとを、椅子本体に設置されるケース内に一体に備えてなることを特徴とする。
【０００８】
この場合において、前記強弱調整コマが、周面カムであって、外周面に軸心からの距離が異なる複数のカム面が形成され、該カム面が、ばねアームに当接するようにしてなるようにすることができる。
【０００９】
また、前記背もたれの後傾動の角度が進行した場合に、ばねアームの先端側を案内するガイド溝を、強弱調整コマに対応して複数段形成してなるようにすることができる。
【００１０】
また、前記ばねアームのロッキングアームに対する当接面の断面形状を、略直線状に形成するとともに、該当接面に対応するロッキングアームの当接面の断面形状を、緩やかな曲線状に形成してなるようにすることができる。
【発明の効果】
【００１１】
本発明の椅子のロッキング構造によれば、椅子本体から延設した背もたれ支持体に対して背もたれを取り付けるようにした椅子のロッキング構造において、前記背もたれの後傾動に対して抵抗力を付与するばねと、該ばねの抵抗力をばねアームを介して背もたれに伝達するロッキングアームと、回動操作されることによってばねアームのロッキングアームに対する当接位置を移動させて背もたれの後傾動に対するばねの抵抗力の度合いを変える強弱調整コマとを、椅子本体に設置されるケース内に一体に備えてなるようにすることにより、ロッキング機構の構造が簡単で、椅子への組み付けを簡易に行うことができ、また、背もたれの後傾動に対するばねの付勢力の大きさの調節を正確にでき、かつ、ロッキング機構の駆動を円滑に行うようにすることができる。
【００１２】
また、前記強弱調整コマが、周面カムであって、外周面に軸心からの距離が異なる複数のカム面が形成され、該カム面が、ばねアームに当接するようにしてなるようにすることにより、強弱調整コマの構造を簡易に構成することができる。
【００１３】
また、前記背もたれの後傾動の角度が進行した場合に、ばねアームの先端側を案内するガイド溝を、強弱調整コマに対応して複数段形成してなるようにすることにより、ばねアームのロッキングアームに対する当接位置が大きく変動しないようにして、安定したばねの抵抗力を付与することができる。
【００１４】
また、前記ばねアームのロッキングアームに対する当接面の断面形状を、略直線状に形成するとともに、該当接面に対応するロッキングアームの当接面の断面形状を、緩やかな曲線状に形成してなるようにすることにより、ばねアームのロッキングアームに対する当接位置を変動させるようにして、ばねの抵抗力を有効に利用することができる。
【図面の簡単な説明】
【００１５】
【図１】本発明の椅子のロッキング構造を適用した椅子の一実施例を示し、（ａ）は正面図、（ｂ）は背面図、（ｃ）は右側面図である。
【図２】同椅子を示し、（ａ）は平面図、（ｂ）は底面図である。
【図３】同椅子のロッキング機構の説明図である。
【図４】同椅子のロッキング機構の分解説明図である。
【図５】同椅子のロッキング機構を含む椅子の下部構造の正面断面図で、（ａ）は初期状態を、（ｂ）は後傾動させた状態を示す。
【図６】同椅子のロッキング機構を含む椅子の下部構造の後方から見た断面斜視図で、（ａ）は初期状態を、（ｂ）は後傾動させた状態を示す。
【図７】同椅子のロッキング機構の斜視図で、（ａ１）は初期状態の全体図、（ａ２）は同要部拡大図、（ｂ１）は後傾動させた状態の全体図、（ｂ２）は同要部拡大図である。
【図８】同椅子のロッキング機構の断面斜視図で、（ａ）は初期状態を、（ｂ）は後傾動させた状態を示す。
【図９】同椅子のロッキング機構の要部の断面斜視図で、（ａ１）は初期状態を、（ａ２）は同要部拡大図、（ｂ１）は後傾動させた状態を、（ｂ２）は同要部拡大図である。
【図１０】同椅子のロッキング機構の要部の説明図で、（ａ）は初期状態を、（ｂ）は後傾動させた状態を、（ｃ）は（ａ）及び（ｂ）を重ねて描いた図である。
【発明を実施するための形態】
【００１６】
以下、本発明の椅子のロッキング構造の実施の形態を、図面に基づいて説明する。
【００１７】
図１〜図１０に、本発明の椅子のロッキング構造を適用した椅子の一実施例を示す。
この椅子１は、事務用に好適に用いられるもので、椅子本体２から延設した背もたれ支持体３に対して、フレーム材４１にシート材４２を張設した背もたれ４を昇降可能に取り付けるようにしている。
【００１８】
椅子本体２には、剛性のあるベース座上に、外表面を布等のシート材で覆った発泡樹脂成型体からなる座部材７が設置されている。
【００１９】
そして、本実施例の椅子１においては、椅子１の背もたれ４がばねの付勢力に抗して後傾動するようにした椅子のロッキング構造に関し、より詳しくは、背もたれ４の後傾動に対するばねの付勢力の大きさを調節できるようにしたロッキング機構５を備えるようにしている。
【００２０】
ロッキング機構５は、背もたれ４の後傾動に対して抵抗力を付与するばね６０と、このばね６０の抵抗力をばねアーム５５を介して背もたれ４に伝達するロッキングアーム５２と、回動操作されることによってばねアーム５５のロッキングアーム５２に対する当接位置を移動させて背もたれ４の後傾動に対するばね６０の抵抗力の度合いを変える強弱調整コマ５４とを、椅子本体２に設置されるケース５０内に一体に備えるようにしたものである。
【００２１】
そして、背もたれ４が後傾動するに従って、ロッキングアーム５２、ばねアーム５５、ばねシャフト６１及びばねシャフト受け５９を介して、ばね６０を圧縮する方向の力が作用し、ばね６０の抵抗力が作用するようにしている。
【００２２】
この場合において、ケース５０内には、上記のロッキングアーム５２、強弱調整コマ５４、ばねアーム５５、ばね６０のほか、ロッキング機構５を構成する、ロッキングアーム用軸受５１、ばねケース５３、強弱調整コマケース５６、レールピン５７、ロッキング当たり５８、ばねシャフト受け５９、ばねシャフト６１、ばねケース受け６２、強弱調整レバー６３及び強弱調整シャフト６４に加え、昇降ユニットケース６５及び昇降ユニットプッシャ６６を一体に備えるようにしている。
【００２３】
また、強弱調整コマ５４は、周面カムからなり、外周面に軸心からの距離が異なる複数のカム面（本実施例においては、５段階のカム面）が形成され、このカム面が、ばねアーム５５に当接するようにする。
そして、強弱調整コマ５４を調整（強弱調整レバー６３を回動操作）することによって、ばねアーム５５のロッキングアーム５２に対する当接位置を移動させて背もたれ４の後傾動に対するばね６０の抵抗力の度合いを変える（モーメントの関係で前記当接位置がロッキングアーム５２の揺動軸から離れるとばね６０の抵抗力が大きくなり、近づくとばね６０の抵抗力が小さくなる。）ことができるようにしている。
強弱調整コマ５４のばねアーム５５への当接状態は、上方から付勢する樹脂ばねを内蔵した強弱調整コマケース５６によって制御されるようにしている。
これにより、強弱調整コマ５４の構造を簡易に構成することができる。
【００２４】
また、背もたれ４の後傾動の角度が進行した場合に、ばねアーム５５の先端側を案内するレールピン５７が入り込んで案内されるガイド溝６７を、ばねケース５３の対向する内面に強弱調整コマ５４に対応して複数段形成するようにする。
これにより、ばねアーム５５のロッキングアーム５２に対する当接位置が大きく変動しないようにして、安定したばね６０の抵抗力を付与することができる。
この場合、レールピン５７がガイド溝６７に入り込んで案内されると、強弱調整コマ５４のばねアーム５５に対する当接状態が解除されるため、強弱調整コマ５４に大きな負荷がかかることを防止することができる。
ここで、強弱調整コマ５４は、ばねアーム５５に対する当接状態が解除されても、強弱調整レバー６３の回動操作を行わない限り、自由に回動しないようにしている。
【００２５】
また、図１０に示すように、ばねアーム５５のロッキングアーム５２に対する当接面、具体的には、ロッキング当たり５８の断面形状を、略直線状に形成するとともに、この当接面に対応するロッキングアーム５２の当接面の断面形状を、緩やかな曲線状に形成してなるようにする。
これにより、ばねアーム５５のロッキングアーム５２に対する当接位置を変動させるようにして、ばね６０の抵抗力を有効に利用できるようにしている。
【００２６】
ここで、本実施例の椅子１においては、椅子本体２のガスシリンダ装着部６８と背もたれ支持体３との間にガスシリンダ８を配設するようにしている。
このガスシリンダ８は、ロッキング機構５によるロッキング強さの補助、背もたれ支持体３及び背もたれ４の任意位置での固定、ロッキング機構５によるロッキング強度を調節する際のサポート等の目的で設けられるもので、特に、初期状態で、ガスシリンダ８の付勢力によって、ばねアーム５５のロッキングアーム５２に対する当接状態を緩和したり、当接しない状態にすることによって、強弱調整コマ５４の調整（強弱調整レバー６３の回動操作）を小さな力で行うことができるようにすることができる。
【００２７】
また、この椅子１においては、この種の椅子が通常採用しているように、背もたれ４（背もたれ支持体３）の後傾動に合わせて、椅子本体２に対して座部材７が前方に移動するように構成されている。
【００２８】
以上のとおり、この椅子１は、ロッキング機構５の構造が簡単で、椅子本体２への組み付けを簡易に行うことができ、また、背もたれ４の後傾動に対するばね６０の付勢力の大きさの調節を正確にでき、かつ、ロッキング機構５の駆動を円滑に行うようにすることができる。
【００２９】
以上、本発明の椅子のロッキング構造について、その実施例に基づいて説明したが、本発明は上記実施例に記載した構成に限定されるものではなく、その趣旨を逸脱しない範囲において適宜その構成を変更することができるものである。
【産業上の利用可能性】
【００３０】
本発明の椅子のロッキング構造は、構造が簡単で、椅子への組み付けを簡易に行うことができ、また、背もたれの後傾動に対するばねの付勢力の大きさの調節を正確にでき、かつ、ロッキング機構の駆動を円滑に行えることができることから、事務用の椅子の用途に好適に用いることができるほか、広く各種の椅子の用途に用いることができる。
【符号の説明】
【００３１】
１  椅子
２  椅子本体
３  背もたれ支持体
４  背もたれ
４１  フレーム材
４２  シート材
５  ロッキング機構
５０  ケース
５１  ロッキングアーム用軸受
５２  ロッキングアーム
５３  ばねケース
５４  強弱調整コマ（周面カム）
５５  ばねアーム
５６  強弱調整コマケース
５７  レールピン
５８  ロッキング当たり
５９  ばねシャフト受け
６０  ばね
６１  ばねシャフト
６２  ばねケース受け
６３  強弱調整レバー
６４  強弱調整シャフト
６５  昇降ユニットケース
６６  昇降ユニットプッシャ
６７  ガイド溝
６８  ガスシリンダ装着部
７  座部材
８  ガスシリンダ
【図１】
2018078961.tif 000003
【図２】
2018078961.tif 000004
【図３】
2018078961.tif 000005
【図４】
2018078961.tif 000006
【図５】
2018078961.tif 000007
【図６】
2018078961.tif 000008
【図７】
2018078961.tif 000009
【図８】
2018078961.tif 000010
【図９】
2018078961.tif 000011
【図１０】
2018078961.tif 000012